(57)【要約】【課題】設置場所の空きスペースを十分に確保しながらテーブルとしても機能する。【解決手段】長手方向に互いに摺動可能な２つの長手部材２，３と、各長手部材２，３が建築物の構造物４の間で突っ張った状態で長手部材２，３同士を相対的に固定する固定機構５とを備えた支持柱１において、長手部材２，３のうちの一方は、該長手部材２に対して長手方向に摺動可能であると共に該長手部材２の先端から突出した状態と該長手部材２に押し込まれて該長手部材２の押圧力を直接受けて構造物４に伝達する状態とに変位する端部材６と、該端部材６を構造物４に押圧する方向に付勢する付勢手段７とを備えて、尚かつ固定機構５は長手部材２，３を摺動して伸長させるジャッキ部８と該ジャッキ部８を操作する操作部９とを備えて、さらに長手部材２，３の一部に少なくとも２箇所の支持具３４で支持されたテーブル板３５を備える。【選択図】　　　　図１
2004065786.tif 000002
【特許請求の範囲】
【請求項１】
長手方向に互いに摺動可能な２つの長手部材と、各長手部材が建築物の構造物の間で突っ張った状態で前記長手部材同士を相対的に固定する固定機構とを備えた支持柱において、前記長手部材のうちの一方は、該長手部材に対して長手方向に摺動可能であると共に該長手部材の先端から突出した状態と該長手部材に押し込まれて該長手部材の押圧力を直接受けて前記構造物に伝達する状態とに変位する端部材と、該端部材を前記構造物に押圧する方向に付勢する付勢手段とを備えて、尚かつ前記固定機構は前記長手部材を摺動して伸長させるジャッキ部と該ジャッキ部を操作する操作部とを備えて、さらに前記長手部材の一部に少なくとも２箇所の支持具で支持されたテーブル板を備えることを特徴とする支持柱。
【請求項２】
長手方向に互いに摺動可能な２つの長手部材と、各長手部材が建築物の構造物の間で突っ張った状態で前記長手部材同士を相対的に固定する固定機構とを備えた支持柱において、前記長手部材はいずれも前記構造物に接触可能であり、前記長手部材のうちの一方は、該長手部材に対して長手方向に摺動可能であると共に該長手部材の先端から突出した状態と該長手部材に収容される状態とに変位する端部材と、該端部材を前記構造物に押圧する方向に付勢する付勢手段とを備えて、尚かつ前記固定機構は、前記長手部材を摺動して伸長させるジャッキ部と該ジャッキ部を操作する操作部とを備えて、さらに前記長手部材の一部に少なくとも２箇所の支持具で支持されたテーブル板を備えることを特徴とする支持柱。
【請求項３】
前記テーブル板は半円形状であると共に曲率中心に前記長手部材が係合する切り欠きが形成されていることを特徴とする請求項１または２記載の支持柱。
【請求項４】
前記テーブル板は中心角９０度の扇形状であると共に頂角に前記長手部材が係合する切り欠きが形成されていることを特徴とする請求項１または２記載の支持柱。
【請求項５】
前記ジャッキ部は、一方の前記長手部材に回転不能に固定される雌ねじ部と、他方の前記長手部材に回転可能に取り付けられると共に前記雌ねじ部に螺合する雄ねじ部とを備えると共に、前記雄ねじ部と前記操作部とを連結する傘歯車が設けられていることを特徴とする請求項１から４までのいずれか記載の支持柱。
【発明の詳細な説明】
【０００１】
【発明の属する技術分野】
本発明は、建築物の例えば天井と床等の構造物の間で伸ばして突っ支えさせる支持柱に関する。更に詳述すると、本発明はテーブル板を取り付けた支持柱に関する。
【０００２】
【従来の技術】
各種住宅のベランダに物干し竿を設置する場合に、物干し竿を支持するブラケットを取り付けた伸縮可能な支持柱を天井と床との間に設置して固定することがある。また、このベランダに鉢植えやプランタ等を載置する場合には、小型のテーブルを使用することがある。
【０００３】
【発明が解決しようとする課題】
しかしながら、上述したようにベランダに支持柱およびテーブルの両方を設置すると、空きスペースが小さくなってしまい使い勝手が良くない。
【０００４】
そこで、本発明は、設置場所の空きスペースを十分に確保しながらテーブルとしても機能する支持柱を提供することを目的とする。
【０００５】
【課題を解決するための手段】
かかる目的を達成するため、請求項１記載の発明は、長手方向に互いに摺動可能な２つの長手部材と、各長手部材が建築物の構造物の間で突っ張った状態で長手部材同士を相対的に固定する固定機構とを備えた支持柱において、長手部材のうちの一方は、該長手部材に対して長手方向に摺動可能であると共に該長手部材の先端から突出した状態と該長手部材に押し込まれて該長手部材の押圧力を直接受けて構造物に伝達する状態とに変位する端部材と、該端部材を構造物に押圧する方向に付勢する付勢手段とを備えて、尚かつ固定機構は長手部材を摺動して伸長させるジャッキ部と該ジャッキ部を操作する操作部とを備えて、さらに長手部材の一部に少なくとも２箇所の支持具で支持されたテーブル板を備えるようにしている。また、請求項２記載の発明は、長手方向に互いに摺動可能な２つの長手部材と、各長手部材が建築物の構造物の間で突っ張った状態で長手部材同士を相対的に固定する固定機構とを備えた支持柱において、長手部材はいずれも構造物に接触可能であり、長手部材のうちの一方は、該長手部材に対して長手方向に摺動可能であると共に該長手部材の先端から突出した状態と該長手部材に収容される状態とに変位する端部材と、該端部材を構造物に押圧する方向に付勢する付勢手段とを備えて、尚かつ固定機構は、長手部材を摺動して伸長させるジャッキ部と該ジャッキ部を操作する操作部とを備えて、さらに長手部材の一部に少なくとも２箇所の支持具で支持されたテーブル板を備えるようにしている。
【０００６】
したがって、構造物の間に支持柱を突っ張らせて取り付け、この支持柱に物干し竿やプランター等を設置することができるので、構造物に穴を開けること無く設置することができるようになる。また、ジャッキ部を利用して支持柱を伸長することにより構造物の間に設置できるので、各長手部材を構造物の間で突っ張るように手で力を与えながら固定する必要が無く、支持柱の設置作業を容易化することができると共に強い支持力を得ることができる。
【０００７】
さらに、構造物の間に支持柱を設けて徐々に伸ばしていくと端部材が付勢手段に抗して長手部材に押し込まれるので、付勢手段の付勢力により支持柱を構造物の間に仮止めすることができる。このため、支持柱を仮止めした状態で支持柱の設置位置や傾きの微調整を行うことができるので、支持柱の位置決めを容易に行うことができる。
【０００８】
そして、長手部材の一部には少なくとも２箇所の支持具で支持されたテーブル板が設けられているので、支持柱をテーブルとして利用することができる。よって、従来のように支持柱とは別個のテーブルを用意することなく支持柱のテーブル板に鉢植えやプランタ等を載置することができるので、省スペース化を図ることができる。また、テーブル板は少なくとも２箇所の支持具で支持されているので、十分な取付強度を得ることができる。このため、鉢植えやプランタ等の比較的重いものであっても支持することができる。
【０００９】
特に請求項１記載の支持柱では、伸長された長手部材と構造物との間に端部材が介在されているので、支持柱を本支持するときに使用される端部材を利用して仮止めを行うことができ、仮止め時の支持柱の安定性を高めることができる。また、請求項２記載の支持柱では、伸長された長手部材は構造物に直接当接しているので、取り付け後の支持柱の安定性を高めることができる。
【００１０】
そして、請求項３記載の発明は、請求項１または２記載の支持柱において、テーブル板は半円形状であると共に曲率中心に長手部材が係合する切り欠きが形成されている。したがって、このテーブル板を１枚のみ使用すれば半円形状のテーブルを得ることができる。また、２枚のテーブル板の直線部同士を合わせるように設置すれば長手部材を中心とする円形状のテーブルを得ることができる。
【００１１】
さらに、請求項４記載の発明は、請求項１または２記載の支持柱において、テーブル板は中心角９０度の扇形状であると共に頂角に長手部材が係合する切り欠きが形成されている。したがって、扇形の頂角部分に長手部材が位置するテーブルを得ることができる。
【００１２】
そして、請求項５記載の発明は、請求項１から３までのいずれか記載の支持柱において、ジャッキ部は、一方の長手部材に回転不能に固定される雌ねじ部と、他方の長手部材に回転可能に取り付けられると共に雌ねじ部に螺合する雄ねじ部とを備えると共に、雄ねじ部と操作部とを連結する傘歯車が設けられるようにしている。
【００１３】
したがって、ジャッキ部はねじジャッキであるので、操作部を小さい力で操作しても支持柱の強い突っ張り力を得ることができる。また、操作部の回転中心の方向は支持柱の伸長方向と異なるようになるので、操作部の可動範囲を大きくでき、支持柱を伸長させるときの操作性を良好にすることができる。
【００１４】
【発明の実施の形態】
以下、本発明の構成を図面に示す実施の形態の一例に基づいて詳細に説明する。
【００１５】
図１に本発明の支持柱１の一実施形態を示す。この支持柱１は、長手方向に互いに摺動可能な２つの長手部材２，３と、各長手部材２，３が建築物の構造物４の間で突っ張った状態で長手部材２，３同士を相対的に固定する固定機構５とを備えたものとしている。
【００１６】
長手部材２，３のうちの一方は、該長手部材２の端部で長手方向に摺動可能な端部材６と、該端部材６を構造物４に押圧する方向に付勢する付勢手段７とを備えている。端部材６は、図１に示すように当該長手部材２の先端から突出した状態と、図２に示すように該長手部材２，３に押し込まれて該長手部材２，３の押圧力を直接受けて構造物４に伝達する状態とに変位する。また、固定機構５は、長手部材２，３を摺動して伸長させるジャッキ部８と、該ジャッキ部８を操作する操作部９とを備えるようにしている。このため、図３に示すようにベランダの床と天井等のような構造物４の間に支持柱１を突っ張らせて取り付け、この支持柱１に物干し竿支持のブラケット１０やテント１１等を設置することができるので、構造物４に穴を開けること無く設置することができるようになる。また、ジャッキ部８を利用して支持柱１を伸長することにより構造物４の間に設置できるので、各長手部材２，３を構造物４の間で突っ張るように手で力を与えながら固定する必要が無く、支持柱１の設置作業を容易化することができると共に強い支持力を得ることができる。
【００１７】
本実施形態では、図４に示すように２つの長手部材２，３はいずれも角パイプ形状で、一方の長手部材２が他方の長手部材３の内部に挿入されて案内されながら摺動可能に設けられている。そして、外側の長手部材３を下側に、内側の長手部材２を上側に設置するようにしている。そして、端部材６および付勢手段７は上側の長手部材２の上端部に、固定機構５は上下の長手部材２，３の重複部分にそれぞれ設けられている。
【００１８】
また、長手部材２，３の一部には、少なくとも２箇所の支持具３４で支持されたテーブル板３５を備えている。このため、支持柱１をテーブルとして利用することができる。よって、従来のように支持柱１とは別個のテーブルを用意することなく支持柱１のテーブル板３５に鉢植えやプランタ等を載置することができるので、省スペース化を図ることができる。また、テーブル板３５は少なくとも２箇所の支持具３４で支持されているので、十分な取付強度を得ることができる。このため、鉢植えやプランタ等の比較的重いものであっても支持することができる。
【００１９】
各テーブル板３５は、図５に示すように半円形状であると共に曲率中心に長手部材２または長手部材３が係合する切り欠き３６が形成されている。本実施形態では、テーブル板３５の直線部が段形状になるように切り欠き３６が形成されている。これにより、角パイプ形状の長手部材２または長手部材３が切り欠き３６に係合してテーブル板３５の回転が抑制されて位置決めされる。よって、このテーブル板３５を１枚のみ使用すれば半円形状のテーブルを得ることができる。この場合、例えば図６に示すように各支持柱１の片側１８０度のみに空きスペースがあるときに、当該空きスペースに向けて半円形状のテーブルを設けることができる。
【００２０】
支持具３４としては図５に示すようにＬ字アングルを使用している。各支持具３４は長手部材２，３の隣り合う側面同士にボルト３７で固定されている。そして、テーブル板３５の直線部が一方の支持具３４に、長手部材２または長手部材３から円弧の中央部に亘る部位が他方の支持具３４に各々ねじ止めで固定されている。
【００２１】
上側の長手部材２の一側部には、長手方向に沿った取付溝１２が形成されている。この取付溝１２は、断面矩形状であると共に開口を側方から狭める顎部１２ａを有している。このため、図２に示すように取付溝１２の内側にボルト１３の頭部を入れることにより、該ボルト１３は上下に摺動可能であると共に長手部材２の側方に抜けないようになる。そして、このボルト１３に例えば物干し竿を支持するブラケット１０やテント１１をねじ止めすることができる。このボルト１３は上下動可能なので、テント１１等をねじ止めする前に設置高さを調整することができる。
【００２２】
一方、端部材６は、図７に示すように長手部材２に対して出入りする摺動軸１４と、該摺動軸１４の先端に固定された受板１５と、摺動軸１４の先端に球形状のスペーサ１６を介して揺動可能に設けられた揺動板１７と、該揺動板１７に接着されたゴム板１８と、摺動軸１４の基端部にねじ止めされた基端板１９とを備えている。揺動板１７およびゴム板１８はスペーサ１６を中心に揺動する。このため、構造物４の取付面が傾斜していたり凹凸があるときでも端部材６の取付面への追従性を高めて支持力を強くすることができる。また、ゴム板１８を設けているので、接触する構造物４への摩擦を高めて側方へのずれを防止して支持力を強くすることができると共に、構造物４の表面を傷めることを抑制できる。
【００２３】
上側の長手部材２の上部には、端部材６の摺動軸１４を摺動可能に支持する軸受２０が取り付けられている。そして、この端部材６の基端板１９と軸受２０とに、引っ張りコイルばねから成る付勢手段７が取り付けられている。したがって、端部材６を長手部材２に押し込んだときは、図２に示すように基端板１９が押し下げられると共に付勢手段７が引き伸ばされる。そして、受板１５が長手部材２に当接するまで押し込まれる。このときは、長手部材２から構造物４への押圧力は、長手部材２→受板１５→スペーサ１６→揺動板１７→ゴム板１８を経て構造物４に伝達される。このように、長手部材２と構造物４との間に端部材６が介在されているので、支持柱１を本支持するときに使用する端部材６を利用して仮止めを行うことができ、仮止め時の支持柱１の安定性を高めることができる。
【００２４】
そして、図８（Ａ）に示すように構造物４の間隔より短くした支持柱１を構造物４，４間に設けて徐々に伸ばしていくと、突出している端部材６が構造物４に当接する（同図（Ｂ））。そして、支持柱１を更に伸ばすと端部材６が付勢手段７に抗して長手部材２に押し込まれる。このとき、付勢手段７の付勢力により支持柱１を構造物４の間に仮止めすることができる。支持柱１を仮止めした状態では支持柱１の設置位置や傾きの微調整を行うことができるので、支持柱１の位置決めを容易に行うことができる。
【００２５】
また、固定機構５のジャッキ部８は、図１に示すように一方の長手部材２に回転不能に固定される雌ねじ部２１と、他方の長手部材３に回転可能に取り付けられると共に雌ねじ部２１に螺合する雄ねじ部２２とを備えるようにしている。そして、雌ねじ部２１は、例えばナットから成ると共に上側の長手部材２に溶接などで固着されている。また、雄ねじ部２２は、下側の長手部材３にスラスト軸受２３を介して回転可能に取り付けられている。すなわち、このジャッキ部８はねじジャッキを構成している。ジャッキを使用することにより、操作部９を小さい力で操作するだけで支持柱１を強い力で伸長することができる。よって、支持柱１の強固な突っ張り力を得ることができる。また、雄ねじ部２２は複数のスラスト軸受２３，２３により支持されているので、長手部材２，３の突っ張り状態を強固に維持することができる。
【００２６】
さらに、操作部９は、長手部材３の内部で長手方向と直交して回転可能に設けられた回転軸２５と、該回転軸２５に支持柱１の外部から着脱可能なクランク形状のハンドル２６とを備えている。回転軸２５は長手部材３の内部に設けられているので、ハンドル２６を取り外すことにより余計な突起物が無くなり人や物が引っ掛かることを防止できる。また、操作部９の回転軸２５と雄ねじ部２２とは、傘歯車２４により連結されている。
【００２７】
ハンドル２６と回転軸２５との接続は、例えば回転軸２５の頭部に六角形状の穴２５ａを形成すると共にハンドル２６に当該穴２５ａに嵌合する六角柱形状の突起２６ａを形成しておき、これら穴２５ａと突起２６ａとの嵌合により行うようにする。これにより、ハンドル２５を回転軸２５に装着して回転させることにより回転軸２５および傘歯車２４を介して雄ねじ部２２を回転させることができる。よって、操作部９の回転中心の方向を支持柱１の長手方向と異なるようにできハンドル２５の回転半径を大きくできるので、操作性を良好にすることができる。
【００２８】
また、下側の長手部材３の下端部には接地部材２７が取り付けられている。この接地部材２７の接地面には、図９に示すようにゴム板２８が取り付けられている。これにより、接触する構造物４への摩擦を高めて側方へのずれを防止して支持力を強くすることができると共に、構造物４の表面を傷めることを抑制できる。そして、接地部材２７は長手部材３の内側に入り込んでねじ止めにより固定されている。そして、この接地部材２７の接地面は長手部材３の太さに比べて十分に大きな円形状にしている。このため、支持柱１の倒れを防止する作用がある。
【００２９】
上述した支持柱１を図３に示すようなベランダの天井と床との間に設置してテーブルとして使用する手順を以下に説明する。
【００３０】
予め支持柱１の全長を構造物４の間隔より短くしておき、この支持柱１を構造物４の間に立てる（図８（Ａ））。そして、支持柱１にハンドル２６を取り付けて回転操作し、ジャッキ部８を作動させて支持柱１を伸ばしていく。
【００３１】
端部材６が構造物４に当接してからも更に支持柱１を伸ばすと、端部材６が付勢手段７に抗して長手部材２に押し込まれる（同図（Ｂ））。このとき、付勢手段７の付勢力を利用して支持柱１を構造物４の間に仮止めすることができる。すなわち、手を離しても支持柱１は倒れずに立ったままになる。
【００３２】
さらに、ハンドル２６を回転操作して支持柱１を伸ばすことにより、端部材６が長手部材２に完全に押し込まれる（同図（Ｃ））。このときは、長手部材２と端部材６とが長手方向に接触して、構造物４の間で２本の長手部材２，３と端部材６とがばね部材を介さずに突っ張り合うようになる。そして、ハンドル２６を回転操作して突っ張り力を適切に設定したらハンドル２６を取り外す（同図（Ｄ））。これにより、支持柱１の取り付けが完了する。
【００３３】
そして、支持柱１の所望の高さの箇所に２本の支持具３４およびテーブル板３５を設置する。よって、テーブルとして使用することができるようになる。
【００３４】
なお、上述の実施形態は本発明の好適な実施の一例ではあるがこれに限定されるものではなく本発明の要旨を逸脱しない範囲において種々変形実施可能である。例えば本実施形態では半円形状のテーブル板３５を一つの高さについて１枚のみ使用しているが、これには限られず図５に二点鎖線で示すように２枚のテーブル板３５の直線部同士を合わせるように設置しても良い。この場合、長手部材２または長手部材３を中心とする円形状のテーブルを得ることができる。
【００３５】
また、上述した実施形態では半円形状のテーブル板３５の直線部に段形状の切り欠き３６を形成しているが、これには限られず図１０に示すように直線部の中央にＶ字状の切り欠き３６を形成しても良い。この場合も、２つの支持具３４によりテーブル板３５を支持することができると共に、２枚のテーブル板３５の直線部同士を合わせて設置することもできる（同図中、二点鎖線）。
【００３６】
さらに、上述した実施形態ではテーブル板３５を半円形状にしているが、これには限られず図１１に示すように中心角９０度の扇形状であると共に頂角に長手部材２，３が係合する切り欠き３６を形成したものとしても良い。この場合、扇形の頂角部分に長手部材２，３が位置するテーブルを得ることができるので、例えば同図に示すように支持柱１がベランダの角に位置して支持柱１から内側に９０度の範囲のみスペースがある場合でもテーブルを設置することができる。
【００３７】
そして、上述した実施形態では支持具３４としてＬ字アングルを使用しているが、これには限られず他の形状のものを使用しても良い。
【００３８】
また、上述した実施形態では、支持柱１にテント１１や物干し竿のブラケット１０を取り付けているが、これには限られず例えばプランターや目隠し板や各種の部材あるいはその取付部材を取り付けることができる。また、本実施形態では支持柱１をベランダに鉛直に設置しているが、これには限られず室内に設置したり、あるいは向かい合った壁面の間に水平になるように設置しても良い。さらに、本実施形態では端部材６を上側にして設置しているが、これには限られず端部材６を下側にして設置しても良い。
【００３９】
そして、本実施形態では端部材６が揺動可能な揺動板１７およびゴム板１８により構造物４に接触するようにしているが、これには限られず図１２に示すように摺動軸１４に揺動不能に固定した固定板２９およびゴム板１８により構造物４に接触するようにしても良い。この場合、端部材６の構造を簡易化できる。
【００４０】
また、上述した実施形態では上側の長手部材２を構造物４に押圧するときに端部材６を介在するようにしているが、これには限られず図１３に示すように端部材６が長手部材２に完全に入り込むようにして長手部材２が構造物４に直接当接するようにしても良い。すなわち、この支持柱１では、２つの長手部材２，３はいずれも構造物４に接触可能であり、また一方の長手部材２に設けられた端部材６は当該長手部材２に対して長手方向に摺動可能であると共に該長手部材２の先端から突出した状態（図１３（Ａ））と該長手部材２に収容される状態（同図（Ｂ））とに変位するものとしている。
【００４１】
この支持柱１では上側の長手部材２の端部に受部３０が取り付けられている。この受部３０は構造物４に直接接触可能であると共に、端部材６を完全に収容する空間３１を有している。そして、この支持柱１は仮止め状態では、図１３（Ａ）に示すように端部材６のみが接触し長手部材２は接触しない。ここで、長手部材２を更に伸長させると同図（Ｂ）に示すように端部材６が長手部材２の受部３０に収容されて受部３０が構造物４に直接接触するようになる。この場合、伸長された長手部材２が構造物４に直接当接することになるので、取り付け後の支持柱１の安定性を高めることができる。
【００４２】
また、上述した各実施形態では、付勢手段７として引っ張りコイルばねを使用しているが、これには限られず圧縮コイルばねを使用するようにしても良い。この場合、長手部材２の内部に固定板を設けて、摺動軸１４と固定板との間で付勢手段７を圧縮することにより端部材６の抗力を得るようにする。
【００４３】
さらに、上述した各実施形態では長手部材２，３をいずれも角パイプ形状としているが、これには限られず例えば図１４に示すように上側の長手部材２を角パイプ形状、下側の長手部材３を丸パイプ形状としたり、あるいは図示してないが上側の長手部材２を丸パイプ形状、下側の長手部材３を角パイプ形状としたり、若しくは各長手部材２，３を丸パイプ形状とすることができる。図１４に示すように上側の長手部材２を角パイプ形状、下側の長手部材３を丸パイプ形状とするときは、上側の長手部材２の回転を防止するために、下側の長手部材３の内部に上側の長手部材２の角部を案内する案内レール３２を設けるようにする。
【００４４】
そして、上述した各実施形態では固定機構５の操作部９の回転軸２５が長手部材３に隠れているが、これには限られず図１５に示すように長手部材３から突出していても良い。また、上述した各実施形態では操作部９のハンドル２６は着脱可能にしているが、これには限られず取り付けられたままであっても良い。さらに、上述した各実施形態ではハンドル２６の回転中心は長手方向と直交する方向としているが、これには限られず長手方向と平行にしたり、あるいは直交と平行以外の角度であっても良い。このため、設置場所や設置角度に応じて最適な操作を行えるハンドル２５を設けることができる。
【００４５】
また、上述した各実施形態ではジャッキ部８は雌ねじ部２１を長手部材に固定して雄ねじ部２２を回転させているが、これには限られず雌ねじ部２１を回転して雄ねじ部２２を長手部材に固定するようにしても良い。さらに、上述した各実施形態では固定機構５のジャッキ部８としてねじジャッキを採用しているが、これには限られず例えばラック・ピニオンを利用するジャッキを採用しても良い。このため、設計の自由度を高めることができる。
【００４６】
また、上述した実施形態では下側の長手部材３の接地部材２７は長手部材３の内側に入り込んでいるが、これには限られず図１６に示すように長手部材３の外側に嵌合しても良く、また図１７に示すように長手方向に沿った補強板３３を有するようにしても良い。
【００４７】
更に、本実施形態では、支持柱１として、固定機構５を備える２本の長手部材２，３から成る伸縮可能な支柱を採用しているが、これに特に限定されるものではなく、１本の長手部材から成る支柱の少なくとも一端、好ましくは両端に調整ねじ機構（図示省略）を取付可能として、この調整ねじ機構を出し入れさせることによってベランダの床と屋根との間に固定可能とする支柱を採用することも可能である。そして、この支柱の周面にテーブル板３５などを取り付けるようにすることができる。
【００４８】
【発明の効果】
以上の説明から明らかなように、本発明の請求項１および２記載の支持柱によれば、構造物の間に支持柱を突っ張らせて取り付け、この支持柱に物干し竿やプランター等を設置することができるので、構造物に穴を開けること無く設置することができるようになる。このため、設置の際に穴開け作業が不要になって作業性を高めることができると共に、ブラケット等を取り外した後に穴が残らないので美観を良好に維持できる。
【００４９】
また、ジャッキ部を利用して支持柱を伸長することにより構造物の間に設置できるので、各長手部材を構造物の間で突っ張るように手で力を与えながら固定する必要が無く、支持柱の設置作業を容易化することができると共に強い支持力をえることができる。
【００５０】
しかも、ジャッキ部を緩めれば支持柱を容易に取り外すことができるので、支持柱の設置位置を変更するときや引越しの際などの作業性を高めることができる。
【００５１】
さらに、付勢手段の付勢力により支持柱を構造物の間に仮止めすることができるので、支持柱を仮止めした状態で支持柱の設置位置や傾きの微調整を行うことができ、支持柱の位置決めを容易に行うことができる。
【００５２】
そして、長手部材の一部には少なくとも２箇所の支持具で支持されたテーブル板が設けられているので、支持柱をテーブルとして利用することができる。よって、従来のように支持柱とは別個のテーブルを用意することなく支持柱のテーブル板に鉢植えやプランタ等を載置することができるので、省スペース化を図ることができる。また、テーブル板は少なくとも２箇所の支持具で支持されているので、十分な取付強度および安定性を得ることができる。このため、鉢植えやプランタ等の比較的重いものであっても支持することができる。
【００５３】
特に請求項１記載の支持柱では、伸長された長手部材と構造物との間に端部材が介在されているので、支持柱を本支持するときに使用される端部材を利用して仮止めを行うことができ、仮止め時の支持柱の安定性を高めることができる。また、請求項２記載の支持柱では、伸長された長手部材は構造物に直接当接しているので、取り付け後の支持柱の安定性を高めることができる。
【００５４】
そして、請求項３記載の支持柱によれば、テーブル板を１枚のみ使用すれば半円形状のテーブルを得ることができる。このため、各支持柱の片側１８０度のみに空きスペースがあるときに、当該空きスペースに向けて半円形状のテーブルを設けることができる。また、２枚のテーブル板の直線部同士を合わせるように設置すれば長手部材を中心とする円形状のテーブルを得ることができる。
【００５５】
さらに、請求項４記載の支持柱によれば、扇形の頂角部分に長手部材が位置するテーブルを得ることができる。このため、支持柱がベランダの角に位置して支持柱から内側に９０度の範囲のみスペースがある場合でもテーブルを設置することができる。
【００５６】
そして、請求項５記載の支持柱によれば、ジャッキ部がねじジャッキであるので、操作部を小さい力で操作しても支持柱の強い突っ張り力を得ることができる。また、操作部の回転中心の方向は支持柱の伸長方向と異なるようになるので、操作部の可動範囲を大きくでき、操作性を良好にすることができる。
【図面の簡単な説明】
【図１】本発明の支持柱の一実施形態を示す縦断面側面図である。
【図２】支持柱の上端部を示す縦断面側面図である。
【図３】支持柱をベランダの天井と床との間に設置した状態を示す縦断面側面図である。
【図４】図１のＩＶ−ＩＶ線で切断した状態を示す平面図である。
【図５】テーブル板を示す斜視図である。
【図６】半円形状のテーブル板を備えた支持柱がベランダに設置された状態を示す平面図である。
【図７】端部材を示す縦断面側面図である。
【図８】支持柱を取り付ける手順を示す側面図であり、（Ａ）は支持柱の全長が構造物の間隔よりも短いとき、（Ｂ）は端部材が構造物に当接したとき、（Ｃ）は上側の長手部材が端部材に当接したとき、（Ｄ）は支持柱に適切な突っ張り力を与えてハンドルを取り外したときである。
【図９】接地部材を示す縦断面側面図である。
【図１０】テーブル板の他の実施形態を示す平面図である。
【図１１】中心角が９０度の扇形のテーブル板を備えた支持柱がベランダに設置された状態を示す平面図である。
【図１２】端部材の他の例を示す縦断面側面図である。
【図１３】端部材の別の例を示す縦断面側面図であり、（Ａ）は端部材のみが構造物に当接したとき、（Ｂ）は上側の長手部材が構造物に当接したときである。
【図１４】上側の長手部材が角パイプ形状、下側の長手部材が丸パイプ形状である支持柱の横断面平面図である。
【図１５】固定機構の他の例の主要部を示す縦断面側面図である。
【図１６】接地部材の他の例を示す縦断面側面図である。
【図１７】接地部材の別の例を示す縦断面側面図である。
【符号の説明】
１　支持柱
２　上側の長手部材
３　下側の長手部材
４　構造物
５　固定機構
６　端部材
７　付勢手段
８　ジャッキ部
９　操作部
２１　雌ねじ部
２２　雄ねじ部
２４　傘歯車
３４　支持具
３５　テーブル板
３６　切り欠き
【図１】
2004065786.tif 000003
【図２】
2004065786.tif 000004
【図３】
2004065786.tif 000005
【図４】
2004065786.tif 000006
【図５】
2004065786.tif 000007
【図６】
2004065786.tif 000008
【図７】
2004065786.tif 000009
【図８】
2004065786.tif 000010
【図９】
2004065786.tif 000011
【図１０】
2004065786.tif 000012
【図１１】
2004065786.tif 000013
【図１２】
2004065786.tif 000014
【図１３】
2004065786.tif 000015
【図１４】
2004065786.tif 000016
【図１５】
2004065786.tif 000017
【図１６】
2004065786.tif 000018
【図１７】
2004065786.tif 000019